(57)【要約】【課題】背もたれ部に、車両用シートの構成部品を適切に配置することができるスペースを容易に確保することができる車両用シートの構造を提供すること。【解決手段】車両衝突時に乗員の頸部を衝撃から保護するためのアクティブヘッドレスト３を備えた車両用シート１において、背もたれ部２の下部には、乗員の腰部付近からの荷重を受けて作動するロアユニット４が埋設してあり、背もたれ部２の上部には、ロアユニット４の作動を受けて、アクティブヘッドレスト３を斜め前方へ上昇させるアッパユニット５が埋設してある。ロアユニット４は、受圧回動部４２の受圧先端部と回動支点部とが、背もたれ部２の左右方向Ｗに並ぶ横置き状態で配置してあり、アッパユニット５へ作動力を伝達するワイヤケーブル６は、回動支点部側から左右のいずれかの方向に引き出されてアッパユニット５に接続されている。【選択図】図１
2009067247.tif 000002
【特許請求の範囲】
【請求項１】
車両衝突時に、乗員の頸部を衝撃から保護するためのアクティブヘッドレストを備えた車両用シートの構造において、
該車両用シートの背もたれ部の下部には、車両衝突時に乗員の腰部付近からの荷重を受けて作動するロアユニットが埋設してあり、
上記背もたれ部の上部には、上記ロアユニットの作動を受けて、上記アクティブヘッドレストを斜め前方へ上昇させるアッパユニットが埋設してあり、
該アッパユニットには、上記ロアユニットの作動がワイヤケーブルを介して伝達されるよう構成してあり、
上記ロアユニットは、本体部と、乗員の腰部付近からの荷重を受けて上記本体部に対して回動し、上記ワイヤケーブルを引っ張ることができる受圧回動部とを有しており、
上記ロアユニットは、上記受圧回動部の受圧先端部と回動支点部とが、上記背もたれ部の左右方向に並ぶ横置き状態で配置してあり、
上記ワイヤケーブルは、上記回動支点部側から左右のいずれかの方向に引き出されて上記アッパユニットに接続されていることを特徴とする車両用シートの構造。
【請求項２】
請求項１において、上記車両用シートは、上記背もたれ部を前方に倒して、該背もたれ部の背面によってテーブルを形成することができるテーブルシートであり、
該テーブルシートの背もたれ部には、該背もたれ部を乗員が着座可能なノーマル状態と上記テーブルを形成するテーブル状態との間で回動させるための左右両側の回動軸部同士を連結するコネクティングロッドが設けてあり、
該コネクティングロッドは、上記背もたれ部を上記ノーマル状態と上記テーブル状態との間で回動させる際における上記ロアユニットの回動軌跡の外側に設けたことを特徴とする車両用シートの構造。
【請求項３】
請求項１又は２において、上記ロアユニットにおける上記受圧先端部は、上記背もたれ部の左右方向の中心位置に上記受圧先端部と上記回動支点部との間の中間部位が位置するよう、上記中心位置から左右にずれた位置に配置してあることを特徴とする車両用シートの構造。
【請求項４】
請求項１〜３のいずれか一項において、上記受圧回動部は、上記背もたれ部の左右方向に長い横長形状を有していると共に、上記回動支点部よりも上記受圧先端部が前方に位置するよう傾斜して配置してあり、
上記受圧回動部が作動する前の状態において、上記受圧先端部側に位置する先端側部分は、残りの基端側部分から屈曲して前後方向に対して略垂直に配置されていることを特徴とする車両用シートの構造。
【発明の詳細な説明】
【技術分野】
【０００１】
本発明は、車両衝突時に、乗員の頸部を衝撃から保護するためのアクティブヘッドレストを備えた車両用シートの構造に関する。
【背景技術】
【０００２】
車両における後方からの衝突に対して、乗員の頸部を衝撃から保護し、鞭打ちを防止するためのアクティブヘッドレストを備えた車両用シートとしては、例えば、特許文献１、２に開示されたものがある。
特許文献１の座席においては、バックレスト（背もたれ部）の下部に埋設されたプレス板（ロアユニット）によって乗員からの荷重を受け、左右のワイヤ（ケーブル）によって頭部連結機構（アッパユニット）に動力を伝達し、ヘッドレストを前方向に移動して乗員の頭部を支持し、乗員の頭部の後方向への振れを軽減することが開示されている。また、特許文献２の車両用シートにおいても、同様の構造が開示されている。
【０００３】
しかしながら、上記従来の車両用シート等においては、背もたれ部の下部に埋設したロアユニットは、背もたれ部の左右方向の中心位置において左右にほぼ対称に配置されており、アッパユニットへ動力を伝達するワイヤが左右方向における中心部分又は左右に分かれて配置されている。そのため、背もたれ部において、ロアユニット及びワイヤが占有するスペースを小さくするためには、更なる工夫が必要とされる。
【０００４】
【特許文献１】特開２００５−１０４２５９号公報
【特許文献２】特開２００６−１５１０３５号公報
【発明の開示】
【発明が解決しようとする課題】
【０００５】
本発明は、かかる従来の問題点に鑑みてなされたもので、背もたれ部に、車両用シートの構成部品を適切に配置することができるスペースを容易に確保することができる車両用シートの構造を提供しようとするものである。
【課題を解決するための手段】
【０００６】
本発明は、車両衝突時に、乗員の頸部を衝撃から保護するためのアクティブヘッドレストを備えた車両用シートの構造において、
該車両用シートの背もたれ部の下部には、車両衝突時に乗員の腰部付近からの荷重を受けて作動するロアユニットが埋設してあり、
上記背もたれ部の上部には、上記ロアユニットの作動を受けて、上記アクティブヘッドレストを斜め前方へ上昇させるアッパユニットが埋設してあり、
該アッパユニットには、上記ロアユニットの作動がワイヤケーブルを介して伝達されるよう構成してあり、
上記ロアユニットは、本体部と、乗員の腰部付近からの荷重を受けて上記本体部に対して回動し、上記ワイヤケーブルを引っ張ることができる受圧回動部とを有しており、
上記ロアユニットは、上記受圧回動部の受圧先端部と回動支点部とが、上記背もたれ部の左右方向に並ぶ横置き状態で配置してあり、
上記ワイヤケーブルは、上記回動支点部側から左右のいずれかの方向に引き出されて上記アッパユニットに接続されていることを特徴とする車両用シートの構造にある（請求項１）。
【０００７】
本発明の車両用シートの構造においては、アクティブヘッドレストを形成するロアユニットの配設方向を工夫することにより、車両用シートの背もたれ部に車両用シートの構成部品の配置が可能なスペースを形成することができる。
具体的には、本発明のロアユニットは、受圧回動部の受圧先端部と回動支点部とが、車両用シートの背もたれ部の左右方向に並ぶ横置き状態で配置してある。そして、ロアユニットにおけるワイヤケーブルは、回動支点部側から左右のいずれかの方向に引き出されてアッパユニットに接続されている。これにより、ロアユニットが背もたれ部において占有する上下方向の寸法を小さくすることができると共に、ワイヤケーブルが背もたれ部の上下方向及び左右方向の中心部分のスペースを大きく占有してしまうことを防止することができる。
【０００８】
それ故、本発明の車両用シートの構造によれば、背もたれ部に、車両用シートの構成部品を適切に配置することができるスペースを容易に確保することができる。
【発明を実施するための最良の形態】
【０００９】
上述した本発明における好ましい実施の形態につき説明する。
本発明において、上記車両用シートは、上記背もたれ部を前方に倒して、該背もたれ部の背面によってテーブルを形成することができるテーブルシートとし、該テーブルシートの背もたれ部には、該背もたれ部を乗員が着座可能なノーマル状態と上記テーブルを形成するテーブル状態との間で回動させるための左右両側の回動軸部同士を連結するコネクティングロッドが設け、該コネクティングロッドは、上記背もたれ部を上記ノーマル状態と上記テーブル状態との間で回動させる際における上記ロアユニットの回動軌跡の外側に設けることが好ましい（請求項２）。
【００１０】
この場合には、上記ロアユニットを上記横置き状態にし、上記ワイヤケーブルを上記左右のいずれかの方向へ引き出したことにより、車両用シートをテーブルシートとした際に、背もたれ部に、テーブルシートに用いるコネクティングロッドを配置するためのスペースを容易に形成することができる。そして、テーブルシートの背もたれ部をノーマル状態とテーブル状態とで回動させる際に、ロアユニットがコネクティングロッドと干渉することを容易に回避することができる。
【００１１】
また、上記ロアユニットにおける上記受圧先端部は、上記背もたれ部の左右方向の中心位置に上記受圧先端部と上記回動支点部との間の中間部位が位置するよう、上記中心位置から左右にずれた位置に配置することが好ましい（請求項３）。
この場合には、ロアユニットからアッパユニットに向けて屈曲させるワイヤケーブルの屈曲半径が小さくなることを抑制し、上記横置き状態にしたロアユニットを車両用シートの背もたれ部に配置し易くすることができる。
【００１２】
また、上記受圧回動部は、上記背もたれ部の左右方向に長い横長形状を有していると共に、上記回動支点部よりも上記受圧先端部が前方に位置するよう傾斜して配置し、上記受圧回動部が作動する前の状態において、上記受圧先端部側に位置する先端側部分は、残りの基端側部分から屈曲して前後方向に対して略垂直に配置されていることが好ましい（請求項４）。
この場合には、受圧回動部を左右方向に長く形成して、乗員の腰部付近から受けるモーメントを大きくする際に、受圧回動部の受圧先端部が、背もたれ部の前方に大きく突出してしまうことを抑制することができる。
【実施例】
【００１３】
以下に、本発明の車両用シートの構造にかかる実施例につき、図面と共に説明する。
本例の車両用シート１の構造は、図１に示すごとく、後方からの車両衝突時に、乗員の頸部を衝撃から保護し、乗員が鞭打ち症になることを防止するためのアクティブヘッドレスト３を備えている。
車両用シート１の背もたれ部２の下部には、後方からの車両衝突時に乗員の腰部付近からの荷重を受けて作動するロアユニット４が埋設してあり、背もたれ部２の上部には、ロアユニット４の作動を受けて、アクティブヘッドレスト３を斜め前方（前方を矢印Ｄ１で示す。）へ上昇させるアッパユニット５が埋設してある。
【００１４】
図２に示すごとく、アッパユニット５には、ロアユニット４の作動がワイヤケーブル６を介して伝達されるよう構成してあり、図３、図４に示すごとく、ロアユニット４は、本体部４１と、乗員の腰部付近からの荷重を受けて本体部４１に対して回動し、ワイヤケーブル６を引っ張ることができる受圧回動部４２とを有している。
図１、図２に示すごとく、ロアユニット４は、受圧回動部４２の受圧先端部４２１と回動支点部４２２とが、背もたれ部２の左右方向Ｗに並ぶ横置き状態で配置してあり（受圧回動部４２は横向きに回動するよう構成してあり）、ワイヤケーブル６は、回動支点部４２２側から左右のいずれかの方向に引き出されてアッパユニット５に接続されている。
【００１５】
以下に、本例の車両用シート１の構造につき、図１〜図５と共に詳説する。
図５に示すごとく、本例の車両用シート１は、乗用車のシートであり、背もたれ部２を前方Ｄ１に倒して、背もたれ部２の背面によって略水平な（車両後方側が若干低くなるよう傾斜して）テーブルを形成することができるテーブルシートである。このテーブルシートは、乗用車の助手席に装備されるものである。テーブルシートの背もたれ部２は、乗員が着座することができるノーマル状態２０１と、テーブルを形成するためのテーブル状態２０２との間で回動可能である。
図１、図５に示すごとく、背もたれ部２には、リクライニング用の（背もたれ部２を前後に傾倒させるリクライニングを行うための）回動軸部２５と、テーブル形成用の（テーブルシートのテーブル状態２０２を形成するための）回動軸部２６とが設けられている。
【００１６】
図３、図４に示すごとく、ロアユニット４は、本体部４１と、乗員の腰部付近からの荷重を受けて本体部４１に対して回動し、ワイヤケーブル６を引っ張ることができる受圧回動部４２とを有している。受圧回動部４２は、複数のリンク部材４３を介して本体部４１に対して回動可能であり、本体部４１に対して回動したときにはリンク部材４３を介してワイヤケーブル６を引っ張るよう構成してある。
ここで、図３は、受圧回動部４２が作動する前の状態のロアユニット４を上下方向Ｈから見た状態で示し、図４は、受圧回動部４２が作動した後の状態のロアユニット４を上下方向Ｈから見た状態で示す。
【００１７】
ワイヤケーブル６は、筒状のケース部６１と、ケース部６１内をスライドさせるワイヤ本体部６２（複数本の針金をより合わせて形成したもの等）とによって構成されている。そして、ロアユニット４の受圧回動部４２を回動させたときには、ワイヤ本体部６２が、ケース部６１に対してスライドして、アッパユニット５側からロアユニット４側へ引っ張られるよう構成されている。
【００１８】
図１、図２、図５に示すごとく、背もたれ部２は、金属製の骨組からなるシートフレーム２１と、背もたれ部２の前面側に配置する発泡ウレタン等の発泡樹脂からなるシートクッション２２と、シートフレーム２１における左右の側部に掛け渡したスプリング（蛇行スプリング）２４と、背もたれ部２の背面側に配置する樹脂製の背面板２３とを有している。また、シートクッション２２の表面等には、表皮が被せられる。
なお、図１、図２において、シートクッション２２は省略してあり、図５において、シートフレーム２１、スプリング２４は省略してある。
【００１９】
図５に示すごとく、ロアユニット４は、シートクッション２２と背面板２３との間に配置して、背もたれ部２内に埋設してある。図２に示すごとく、アッパユニット５は、背もたれ部２の上部に埋設したユニット本体部５１と、乗員の頭部を支持するヘッドレスト部３１を、車両の斜め前方に上昇させることができる可動部５２とによって構成されている。
【００２０】
図１、図２に示すごとく、テーブル形成用の左右一対の回動軸部２６は、シートクッション２２と背面板２３との間に配置して、背もたれ部２内に埋設したコネクティングロッド（コネクティングパイプ）７によって連結されている。コネクティングロッド７は、左右の回動軸部２６に繋がる端部同士の間の中央部分７１が、背もたれ部２にもたれる乗員との干渉を避けるために、背もたれ部２の背面側に屈曲している。
図５に示すごとく、コネクティングロッド７の中央部分７１は、背もたれ部２をノーマル状態２０１とテーブル状態２０２との間で回動させる際におけるロアユニット４の回動軌跡Ｘの外側に設けてある。
【００２１】
また、図２〜図４に示すごとく、ロアユニット４における受圧先端部４２１は、背もたれ部２の左右方向Ｗの中心位置に受圧先端部４２１と回動支点部４２２との間の中間部位が位置するよう、中心位置Ｃから左右方向Ｗにずれた位置に配置してある。これにより、ロアユニット４からアッパユニット５に向けて屈曲させるワイヤケーブル６の屈曲半径が小さくなることを抑制し、上記横置き状態にしたロアユニット４を車両用シート１の背もたれ部２に配置し易くすることができる。
【００２２】
また、図３に示すごとく、受圧回動部４２は、背もたれ部２の左右方向Ｗに長い横長形状を有しており、回動支点部４２２よりも受圧先端部４２１が前方Ｄ１に位置するよう傾斜して配置してある。受圧回動部４２が作動（回動）する前の状態において、受圧回動部４２における受圧先端部４２１側に位置する先端側部分４２５は、受圧回動部４２における残りの基端側部分４２６から屈曲して前後方向Ｄに対して略垂直に配置されている（左右方向Ｗに対して略平行に配置されている）。これにより、受圧回動部４２を左右方向Ｗに長く形成して、乗員の腰部付近から受けるモーメントを大きくする際に、受圧回動部４２の受圧先端部４２１が、背もたれ部２の前方に大きく突出してしまうことを抑制することができる。
【００２３】
本例の車両用シート１の構造においては、アクティブヘッドレスト３を形成するロアユニット４の配設方向を工夫することにより、車両用シート１の背もたれ部２に車両用シート１の構成部品の配置が可能なスペースを形成することができる。
具体的には、本例のロアユニット４は、受圧回動部４２の受圧先端部４２１と回動支点部４２２とが、車両用シート１の背もたれ部２の左右方向Ｗに並ぶ横置き状態で配置してある。そして、ロアユニット４におけるワイヤケーブル６は、回動支点部４２２側から左右のいずれかの方向に引き出されてアッパユニット５に接続されている。これにより、ロアユニット４が背もたれ部２において占有する上下方向Ｈの寸法を小さくすることができると共に、ワイヤケーブル６が背もたれ部２の上下方向Ｈ及び左右方向Ｗの中心部分のスペースを大きく占有してしまうことを防止することができる。
【００２４】
そして、テーブルシートの背もたれ部２に、コネクティングロッド７を配置するためのスペースを容易に形成することができる。これにより、テーブルシートの背もたれ部２をノーマル状態２０１とテーブル状態２０２とで回動させる際に、ロアユニット４がコネクティングロッド７の中央部分７１と干渉することを容易に回避することができる。
それ故、本例の車両用シート１の構造によれば、背もたれ部２に、テーブルシートの構成部品（コネクティングロッド７）を適切に配置することができるスペースを容易に確保することができる。
【図面の簡単な説明】
【００２５】
【図１】実施例における、車両用シートの構造を示す斜視説明図。
【図２】実施例における、車両用シートの構造を示す正面説明図。
【図３】実施例における、受圧回動部が作動する前の状態のロアユニットを上下方向から見た状態で示す説明図。
【図４】実施例における、受圧回動部が作動した後の状態のロアユニットを上下方向から見た状態で示す説明図。
【図５】実施例における、車両用シートの背もたれ部の内部構造を左右方向から見た状態で示す断面説明図。
【符号の説明】
【００２６】
１  車両用シート
２  背もたれ部
２０１  ノーマル状態
２０２  テーブル状態
３  アクティブヘッドレスト
４  ロアユニット
４１  本体部
４２  受圧回動部
４２１  受圧先端部
４２２  回動支点部
５  アッパユニット
６  ワイヤケーブル
７  コネクティングロッド
Ｄ１  前方
Ｗ  左右方向
Ｈ  上下方向
【図１】
2009067247.tif 000003
【図２】
2009067247.tif 000004
【図３】
2009067247.tif 000005
【図４】
2009067247.tif 000006
【図５】
2009067247.tif 000007